(57)【要約】【課題】簡易な構成で乳房のポジショニングを行いやすくする。【解決手段】ロール状ＲＯに巻き上げられている状態の撮影対向部５２を、乳房Ｎの付根側の凸条５３ＢＰから順次基準平坦面Ｍと平行になるように戻しつつ、乳房Ｎのポジショニングを行う。各々の凸条５３ＢＰは、基準平坦面Ｍと平行に配置されると、金属板５５が基準部５６に吸着し、この吸着状態が保持される。このようにして、乳房Ｎの付根側から順次ポジショニングが行われ、撮影対向部５２で乳房Ｎの全体が圧迫される。【選択図】図５
2011206436.tif 000002
【特許請求の範囲】
【請求項１】
乳房を被験者の乳房が当接する撮影台上の撮影面との間で挟み込んで圧迫する圧迫板であって、
前記乳房に当接し、前記撮影面と対向する側から挟み込んで前記乳房を圧迫し、撮影時に基準平坦状態とされる撮影対向面を有し、
前記撮影対向面の前記乳房先端側が付根側よりも前記撮影面から離れるように、前記撮影対向面の前記基準平坦状態からの変形を可能にする変形手段と、
前記撮影対向面を前記基準平坦状態に維持する維持手段と、
を備えた、圧迫板。
【請求項２】
前記撮影対向面は、ロール状に変形可能とされていること、を特徴とする請求項１に記載の、圧迫板。
【請求項３】
前記変形手段は、前記撮影対向面の前記乳房先端側が前記撮影面から離れるように前記撮影対向面を屈曲可能にする複数の屈曲可能折部を含んで構成されていること、を特徴とする請求項１または請求項２に記載の圧迫板。
【請求項４】
前記維持手段は、前記屈曲可能折部の屈曲を阻止する阻止手段を含んで構成されていること、を特徴とする請求項３に記載の圧迫板。
【請求項５】
前記変形手段は、前記撮影対向面が前記乳房先端側と付根側に複数分割され、前記乳房先端側が前記撮影面から離れるように前記乳房先端側を前記乳房付根側に対して回転可能とする回転許容部を含んで構成されていること、を特徴とする請求項１に記載の圧迫板。
【請求項６】
前記維持手段は、前記撮影対向面の側端辺に配置されていること、を特徴とする請求項１〜５のいずれか１項に記載の圧迫板。
【請求項７】
前記維持手段は、前記撮影対向面を前記撮影台上に吸着させる吸着部材を含んで構成されていること、を特徴とする請求項１〜６のいずれか１項に記載の圧迫板。
【請求項８】
被験者の乳房にＸ線を照射するＸ線源と、
前記乳房が当接する撮影面を有する撮影台と、
請求項１〜７のいずれか１項に記載された圧迫板と、
を備えた、Ｘ線撮像装置。
【発明の詳細な説明】
【技術分野】
【０００１】
本発明は、医療用のＸ線撮像装置、及び、このＸ線撮像装置に用いる圧迫板に関する。
【背景技術】
【０００２】
医療用のＸ線撮像装置の一つとして、被験者の乳房を撮像するＸ線撮像装置（マンモグラフィ）が挙げられる。この乳房を撮像するＸ線撮像装置では、乳房を圧迫板で圧迫してＸ線撮影を行う。乳房を圧迫板で圧迫する際には、検査技師が乳房のポジショニングを行うが、圧迫板に検査技師の手が挟み込まれるため、ポジショニング後に検査技師の手を抜きにくいという問題がある（特許文献１参照）。また、手を抜きやすくするには圧迫板での圧迫圧を低くすると、乳房の位置がずれてしまうという問題がある。
【０００３】
一方、乳房のポジショニングを行いやすくするために、特許文献２に記載の技術では、乳房付根側から先に押圧されるように、圧迫板の圧迫面を撮影面に対して傾斜させて配置し、徐々に先端側を乳房に当接させるように制御している。しかしながら、特許文献２のように圧迫板を制御するためには、複雑な機構が必要となる。
【先行技術文献】
【特許文献】
【０００４】
【特許文献１】ＵＳ６９７４２５５
【特許文献２】ＵＳ５０５０１９７
【発明の概要】
【発明が解決しようとする課題】
【０００５】
本発明は、上記事実を考慮してなされたものであり、簡易な構成で乳房のポジショニングを行いやすくすることの可能な圧迫板、及び、この圧迫板を用いたＸ線撮像装置を提供することを課題とする。
【課題を解決するための手段】
【０００６】
上記課題を解決するために、請求項１に記載の圧迫板は、乳房を被験者の乳房が当接する撮影台上の撮影面との間で挟み込んで圧迫する圧迫板であって、前記乳房に当接し、前記撮影面と対向する側から挟み込んで前記乳房を圧迫し、撮影時に基準平坦状態とされる撮影対向面を有し、前記撮影対向面の前記乳房先端側が付根側よりも前記撮影面から離れるように、前記撮影対向面の前記基準平坦状態からの変形を可能にする変形手段と、前記撮影対向面を前記基準平坦状態に維持する維持手段と、を備えている。
【０００７】
請求項１に記載の圧迫板は、撮影台の撮影面との間に被験者の乳房を挟み込んで圧迫する。乳房をこのように挟み込んで圧迫する際には、先ず、乳房の付根側を挟み込んで位置決めし、この位置を起点として乳房の全体を位置決めしつつ撮影台の撮影面と圧迫板の撮影対向面との間に挟み込む。乳房には、撮影対向面が当接されるが、撮影対向面は、変形手段によって乳房先端側が付根側よりも撮影面から離れるように基準平坦状態からの変形が可能とされている。ここで、基準平坦状態は、撮影時における撮影対向面の状態であり、乳房の全体を圧迫しているときの状態である。
【０００８】
本発明の圧迫板によれば、乳房をポジショニングする際に、撮影対向面の乳房先端側を撮影面から離しておき、乳房付根側から順次撮影面に近づけて圧迫することにより、検査技師の手で乳房を保持しても、圧迫板との間にスペースを確保でき、乳房のポジショニングを行いやすくすることができる。
【０００９】
また、本発明では、撮影対向面を変形させて、乳房と圧迫板との間にスペースを確保するので、圧迫板自体を傾ける制御が不要となり、簡易な構成とすることができる。
【００１０】
また、本発明は、維持手段を備えているので、乳房をポジショニングした後に、基準平坦状態となった撮影対向面が変形することを防止することができる。
【００１１】
請求項２に記載の圧迫板は、前記撮影対向面が、ロール状に変形可能とされていること、を特徴とする。
【００１２】
このように、撮影対向面をロール状に変形して、撮影対向面の乳房先端側が付根側よりも撮影面から離れるように基準平坦状態から変形させることができる。
【００１３】
請求項３に記載の圧迫板は、前記変形手段が、前記撮影対向面の前記乳房先端側が前記撮影面から離れるように前記撮影対向面を屈曲可能にする複数の屈曲可能折部を含んで構成されていること、を特徴とする。
【００１４】
このように、複数の屈曲可能折部を構成することにより、屈曲可能折部で屈曲させて、撮影対向面の乳房先端側を撮影面から離すように変形させることができる。
【００１５】
請求項４に記載の圧迫板は、前記維持手段が、前記屈曲可能折部の屈曲を阻止する阻止手段を含んで構成されていること、を特徴とする。
【００１６】
このように、屈曲可能折部の屈曲を阻止手段で阻止することにより、基準平坦状態となった圧迫板の撮影対向面が変形することを防止することができる。
【００１７】
請求項５に記載の圧迫板は、前記変形手段は、前記撮影対向面が前記乳房先端側と付根側に複数分割され、前記乳房先端側が前記撮影面から離れるように前記乳房先端側を前記乳房付根側に対して回転可能とする回転許容部を含んで構成されていること、を特徴とする。
【００１８】
このように、撮影対向面を乳房先端側と付根側に複数分割し、乳房先端側を乳房付根側に対して回転可能とすることにより、撮影対向面の乳房先端側を撮影面から離すように変形させることができる。
【００１９】
請求項６に記載の圧迫板は、前記維持手段が、前記撮影対向面の側端辺に配置されていること、を特徴とする。
【００２０】
このように、維持手段を撮影対向面の側端辺に配置することにより、撮影画像への影響を抑制することができる。
【００２１】
請求項７に記載の圧迫板は、前記維持手段が、前記撮影対向面を前記撮影台上に吸着させる吸着部材を含んで構成されていること、を特徴とする。
【００２２】
このように、撮影対向面を撮影台上に吸着させることにより、撮影対向面の基準平坦状態を維持することができる。
【００２３】
請求項８に記載のＸ線撮像装置は、被験者の乳房にＸ線を照射するＸ線源と、前記乳房が当接する撮影面を有する撮影台と、請求項１〜６のいずれか１項に記載された圧迫板と、を備えている。
【００２４】
請求項８に記載のＸ線撮影装置によれば、圧迫板での乳房のポジショニングを容易に行って、適切なＸ線撮影を行うことができる。
【発明の効果】
【００２５】
本発明によれば、簡易な構成で乳房のポジショニングを行いやすくすることができる。
【図面の簡単な説明】
【００２６】
【図１】第１実施形態に係るＸ線撮像装置の斜視図である。
【図２】第１実施形態に係るＸ線撮像装置に被験者の乳房がポジショニングされた状態を示す上面図である。
【図３】第１実施形態に係る圧迫板の斜視図である。
【図４】第１実施形態に係るＸ線撮像装置の撮影面に乳房が当接された状態を示す図である。
【図５】第１実施形態に係るＸ線撮像装置の圧迫板で、乳房の付根側を位置決めした状態を示す図である
【図６】第１実施形態に係るＸ線撮像装置の圧迫板で、乳房の全体が圧迫されポジショニングされた状態を示す図である
【図７】第１実施形態に係るＸ線撮像装置の圧迫板を基準平坦面と平行な状態に維持するための維持手段の変形例を示す図である
【図８】第２実施形態に係る圧迫板の斜視図である。
【図９】第２実施形態に係るＸ線撮像装置の圧迫板を基準平坦面に維持するための維持部材の構成を示す図である
【図１０】第２実施形態に係るＸ線撮像装置の撮影面に乳房が当接された状態を示す図である。
【図１１】第１実施形態に係るＸ線撮像装置の圧迫板で、乳房の付根側を位置決めした状態を示す図である
【図１２】第１実施形態に係るＸ線撮像装置の圧迫板で、乳房の全体が圧迫されポジショニングされた状態を示す図である
【発明を実施するための形態】
【００２７】
以下、実施形態を挙げ、本発明の実施の形態について説明する。
【００２８】
［第１実施形態］
まず、第１実施形態について説明する。図１には、本実施形態に係るＸ線撮像装置（マンモグラフィ）１０の斜視図が示されている。Ｘ線撮像装置１０は、立位状態の被験者Ｗ（図２参照）の乳房をＸ線で撮影する装置であり、測定部１２、及び、基台部１４を備えている。なお、本実施形態のＸ線撮像装置１０は、ＣＣ（頭尾方向。（Ｃｒａｎｉｏ＆Ｃａｕｄａｌ））撮影とＭＬＯ（内外斜位方向。Ｍｅｄｉａｌ−Ｌａｔｅｒａｌ−Ｏｂｌｉｑｕｅ）撮影との両者を行うことができる装置となっている。
【００２９】
測定部１２は、装置正面側に設けられ、側面視略コの字状とされている。基台部１４は、立設状態に設置され、測定部１２を背後から支持している。測定部１２には、背面側に延び出して基台部１４に回動可能に支えられている回動軸１６が設けられており、回動軸１６が基台部１４に支えられることによって測定部１２が基台部１４に回動可能に支えられている。
【００３０】
測定部１２は、撮影台２２、及び、支持部２８を備えている。支持部２８は、側面視で略Ｌ字状とされ、Ｌ字の一辺（中支持部２７）が基台部１４に沿って配置され、Ｌ字の他辺（上支持部２６）がＸ線撮像装置１０の正面側に向かって延出するように配置されている。
【００３１】
支持部２８の上支持部２６と逆側の端部には、撮影台２２が連結されている。撮影台２２は、Ｘ線撮像装置１０の正面側に向かって延出され、上支持部２６と所定距離離間して対向するように配置されている。撮影台２２の上支持部２６と対向する側には、少なくとも上半身が立位の被験者Ｗ（患者）の乳房Ｎ（図２参照）に当接する平面状の撮影面２０が形成されている。以下、撮影台２２の手前−奥方向を奥行方向Ｘ、撮影台２２の手前側端面に沿った方向（奥行方向Ｘと直交）を幅方向Ｙとする。
【００３２】
上支持部２６の先端側には、撮影台２２と対向するように放射線照射部２４が設けられている。放射線照射部２４にはＸ線管球（図示せず）が備えられ、Ｘ線管球から検査用のＸ線が撮影面２０に向けて照射される。
【００３３】
中支持部２７の正面側には、保持部材３２を介して圧迫板５０が保持されている。保持部材３２は、中支持部２７に構成されたガイド溝２７Ａに沿って移動可能とされている。これにより、圧迫板５０と撮影面２０との距離が可変とされている。
【００３４】
中支持部２７には、ＣＣ撮影時に被験者Ｗが両手でそれぞれ把持する一対のハンドル３６が、撮影面２０を挟むように形成されている。ハンドル３６は、中支持部２７の側面に固定され、Ｘ線撮像装置１０の正面側に向かって延出されている。ハンドル３６を構成し被験者Ｗによって握られる握り部３６Ａは、撮影面２０の法線に対し被験者側とは反対側（すなわち被験者にとって奥側）に傾斜した略直棒状部とされ、撮影面２０に近づくに従い、被験者Ｗ側に徐々に近くなるように配置されている。
【００３５】
撮影台２２の正面側（被験者側）には、ＣＣ撮影時には被験者Ｗ（図２参照）の乳房Ｎよりも下方の胸部分を当接させる胸壁当接部３０が設けられている。また、撮影台２２の内部には、撮影面２０を通過したＸ線が照射される放射線検出器４０（図４参照）が設けられている。
【００３６】
図３に示すように、圧迫板５０は、撮影対向部５２、胸壁部５４、基準部５６、及び、取付壁部５８を備えている。
【００３７】
基準部５６は、一対の断面Ｌ字板状部材で構成され、各々のＬ字が向き合って圧迫板５０の両側部を構成するように、幅方向Ｙに離間して配置されている。基準部５６は、磁性体で構成され、基準部５６の奥行方向Ｘ奥側に配置された電磁石５７によって電磁石として機能するように構成されている。基準部５６は、Ｌ字の下面が撮影対向部５２の下側（撮影台２２側）に配置され、撮影対向部５２側に面一の基準平坦面Ｍが構成される。
【００３８】
撮影対向部５２は、シート部５３Ａ及び蛇腹部５３Ｂの２層で構成されている。シート部５２Ａは、撮影面２０側に配置され、撮影面２０側（基準部５６側）に撮影対向面５２Ａが形成されている。撮影対向面５２Ａは、撮影面２０と対向する側から乳房Ｎに当接して撮影面２０との間で乳房Ｎを挟み込み、当該乳房Ｎを圧迫する。シート部５３Ａは、屈曲自在な柔軟性を有しており、厚みＨが０．１ｍｍ〜３ｍｍ程度とされ、カーボン、ＰＥＴ、ＰＰ、ＰＣなどの材料で形成することができる。
【００３９】
シート部５３Ａの撮影対向面５２Ａと逆側には、蛇腹部５３Ｂが配置されている。蛇腹部５３Ｂは、複数の凸条５３ＢＰが幅方向Ｙに沿って配置され、奥行方向Ｘに（図３では８個）並べられて構成されている。凸条５３ＢＰは、断面が上底よりも下底の長い台形状とされ、隣り合う凸条５３ＢＰ同士の底部は、僅かに離間して配置されている。この離間部分において、シート部５３Ａは幅方向Ｙに沿って蛇腹部５３Ｂ側に露出されており、屈曲可能折部５０Ｋが構成されている。屈曲可能折部５０Ｋにおいて、シート部５３Ａは屈曲可能とされている。また、隣り合う凸条５３ＢＰ同士の間には、空間Ｒが構成されている。各々の凸条５３ＢＰは、シート部５３Ａよりも厚み（台形状の高さ方向）が厚く剛性を有し、容易に変形しない部材で構成されている。凸条５３ＢＰは、カーボン、ＰＥＴ、ＰＰ、ＰＣなどの材料で形成することができる。各々の凸条５３ＢＰの長手方向（幅方向Ｗ）両端の下面には、金属板５５が接着されている。金属板５５は、電磁石５７がオン状態のときに、磁力により基準部５６の板面に吸着される。
【００４０】
撮影対向部５２は、撮影時には、図６に示すように、基準部５６の上面、基準平坦面Ｍと平行に配置されて、撮影対向面５２Ａは平坦状の基準平坦状態Ｆとされている。被験者Ｗの乳房Ｎをポジショニングする際には、図４に示すように、各々の屈曲可能折部５０Ｋでシート部５３Ａが屈曲して、撮影対向面５２Ａが基準平坦状態Ｆからロール状ＲＯに変形される。
【００４１】
胸壁部５４は、奥行方向Ｘの手前側に、基準部５６と直交するように形成されている。胸壁部５４には、ＣＣ撮影時に被験者Ｗ（図４参照）の乳房Ｎよりも上方の胸部分が当接される。
【００４２】
取付壁部５８は、奥行方向Ｘの奥側に、基準部５６と直交するように配置されている。取付壁部５８の中央部外側には、圧迫板５０と保持部材３２とを連結するアーム３４が取り付けられている。
【００４３】
（作用、効果）
次に、本実施形態の作用、効果について説明する。なお、説明の都合上、ＣＣ撮影で説明を行うが、ＭＬＯ撮影でも同様の作用、効果である。
【００４４】
図４に示すように、まず、撮影対向面５２Ａを基準平坦面Ｍと平行な状態からロール状ＲＯに変形させ、電磁石５７を通電（オン）する。被験者Ｗは、Ｘ線撮像装置１０の撮影台２２上に乳房Ｎを配置し、撮影面２０に乳房Ｎを当接させる。
【００４５】
この状態で、圧迫板５０を撮影面２０に向けて移動させる。そして、図５に示すように、圧迫板５０の胸壁部５４と撮影対向部５２の角部を乳房Ｎの付根側に当接させて、乳房Ｎの付根側を撮影面２０へ押しつけ、当該部分の位置決めを行う。そして、ロール状ＲＯに巻き上げられている状態の撮影対向部５２を、乳房Ｎの付根側の凸条５３ＢＰから順次基準平坦面Ｍと平行になるように戻しつつ、乳房Ｎのポジショニングを行う。各々の凸条５３ＢＰは、基準平坦面Ｍと平行に配置されると、金属板５５が基準部５６に吸着し、この吸着状態が保持される。このようにして、乳房Ｎの付根側から順次ポジショニングが行われ、撮影対向部５２で乳房Ｎの全体が圧迫される（図６参照）。
【００４６】
本実施形態では、乳房Ｎをポジショニングする際に、撮影対向面５２Ａの乳房先端側を撮影面２０から離しておき、乳房付根側から順次撮影面２０に近づけて圧迫する。したがって、検査技師の手で乳房Ｎを保持しても、撮影対向面５２Ａとの間にスペースを確保でき、乳房Ｎのポジショニングを行いやすくすることができる。
【００４７】
また、本発明では、撮影対向面５２Ａを変形させて、乳房Ｎと撮影対向面５２Ａとの間にスペースを確保するので、圧迫板５０自体を傾ける制御が不要となり、簡易な構成とすることができる。
【００４８】
なお、本実施形態では、撮影対向面５２Ａを基準平坦面Ｍと平行に維持するために、電磁石５７を用いたが、他の方法で撮影対向面５２Ａを基準平坦面Ｍに維持してもよい。例えば、図７に示すように、基準部５６の側部内側で、各々の凸条５３ＢＰに対応する位置に、係合片５９を設け、係合片５９で凸条５３ＢＰの保持を行ってもよい。係合片５９は、基準部５６の側部に内側へ突出するように軸Ｊ周りに回動可能に取り付け、バネ等の付勢部材（不図示）で内側へ突出するように付勢する。また、係合片５９には、第１面５９Ａ、第２面５９Ｂ、第３面５９Ｃが形成されている。
【００４９】
通常時には、図７（Ａ）に示すように、付勢部材で付勢して、係合片５９は突出位置Ｎ１に配置させておく。撮影対向面５２Ａを基準平坦状態Ｆに戻す際には、撮影対向面５２Ａで係合片５９を押して、図７（Ａ）に二点鎖線で示すように、係合片５９を退避位置Ｎ３へ退避させて撮影対向部５２の通過を許容する。凸条５３ＢＰの頂面が係合片５９の第１面５９Ａを通過すると、係合片５９は押さえ位置Ｎ２まで回転して、凸条５２ＢＰの角部が第２面５９Ｂと第３面５９Ｃとの間の段差に入り込む。これにより、撮影対向部５２は、上方向への移動が阻止され、撮影対向面５２Ａが基準平坦面Ｍに維持される。
【００５０】
上記のように、係合片５９を用いて撮影対向部５２を基準平坦面Ｍに維持することにより、電磁石を必要とせず、簡易な構成とすることができる。
【００５１】
なお、撮影対向面５２Ａを基準平坦面Ｍに維持する他の手段として、負圧による吸引を用いてもよい。
【００５２】
［第２実施形態］
次に、本発明の第２実施形態について説明する。本実施形態では、圧迫板以外の構成については、第１実施形態と同一であるため、圧迫板以外の構成については省略する。
【００５３】
本実施形態の圧迫板６０は、撮影対向部６２、胸壁部６４、基準部６６、及び、取付壁部６８を備えている。
基準部６６は、図８に示すように、一対の断面Ｌ字板状部材で構成され、各々のＬ字が向き合って圧迫板６０の両側部を構成するように、幅方向Ｙに離間して配置されている。基準部６６は、撮影対向部６２の下側（撮影台２２側）に配置され、撮影対向部６２側に面一の基準平坦面Ｍが構成される。
【００５４】
撮影対向部６２は、板状とされ、手前側板部７０と奥側板部７２とに分割されている。手前側板部７０は、撮影台２２の手前側に配置され、基準部６６の上面に固定されている。奥側板部７２は、手前側板部７０よりも奥側に配置され、手前側板部７０の端辺と突き合わせられ、幅方向Ｙの両端部が手前側板部７０とヒンジ部７１で連結されている。ヒンジ部７１の回転中心には、各々のヒンジ部７１で共通の軸７１Ｊが配置されている。奥側板部７２は、ヒンジ部７１を中心に、撮影面２０から離れるように回転可能とされており、開放位置Ｐ１と撮影位置Ｐ２との間を移動可能とされている。
【００５５】
手前側板部７０の基準部６６側には手前面７０Ａが形成され、奥側板部７２の基準部６６側には奥側面７２Ａが形成されている。撮影時には、手前面７０Ａ及び奥側面７２Ａは面一となって基準平坦面Ｍ上に撮影対向面６２Ａが構成される。手前面７０Ａと奥側面７２Ａの境界部分には、シリコンシート６３が接着され（図１０参照）、両者の継ぎ目がカバーされている。
【００５６】
基準部６６の側面内側には、奥側板部７２に対応する位置の両側に、維持部材７３が設けられている。維持部材７３は、図９に示すように、基準部５６に構成された貫通孔５６Ｈの外側に配置され、先端部７４、軸部７５、解除部７６、取付部７７、及び、コイルバネ７８を有している。先端部７４、軸部７５、及び、解除部７６は、一体的に構成されている。先端部７４は、貫通孔５６Ｈに挿通され、上向きで傾斜したテーパー状の先端側が、基準部５６の内側に突出可能とされている。取付部７７は中空とされ、内側に軸部７５及びコイルバネ７８が配置されている。軸部７５は、先端部７４から連続して構成され、取付部７７に構成された連通孔７７Ｈに挿通されている。解除部７６は、軸部７５から連続して構成され、取付部７７の外側に配置されている。コイルバネ７８は、軸部７５の外周に巻き回され、先端部７４を基準部５６の内側へ向かって付勢している。これにより、先端部７４は、通常時には基準部５６の内面から突出した規制位置Ｐ３に配置されている（図９（Ｂ）参照）。
【００５７】
奥側板部７２によって、維持部材７３の先端部７４が上側から押圧された際には、コイルバネ７８の付勢力に抗して先端部７４が外側へ退避し、退避位置Ｐ４（図９（Ａ）参照）へ移動可能とされている。奥側板部７２が基準平坦面Ｍに配置されると、維持部材７３の先端部７４によって、奥側板部７２の開放位置Ｐ１へ向かう方向への移動が阻止され、奥側板部７２は基準平坦面Ｍに維持される。
【００５８】
胸壁部６４は、奥行方向Ｘの手前側に、基準部６６と直交するように形成されている。胸壁部６４には、ＣＣ撮影時に被験者Ｗ（図１０参照）の乳房Ｎよりも上方の胸部分が当接される。
【００５９】
取付壁部６８は、奥行方向Ｘの奥側に、基準部６６と直交するように配置されている。取付壁部６８の中央部外側には、圧迫板６０と保持部材３２とを連結するアーム３４が取り付けられている。
【００６０】
（作用、効果）
次に、本実施形態の作用、効果について説明する。なお、説明の都合上、ＣＣ撮影で説明を行うが、ＭＬＯ撮影でも同様の作用、効果である。
【００６１】
図１０に示すように、まず、撮影対向部６２の奥側板部７２を持ち上げて開放位置Ｐ１に配置し、撮影対向面６２Ａの奥側（奥側面７２Ａ）を撮影面２０から離間させておく。被験者Ｗは、Ｘ線撮像装置１０の撮影台２２上に乳房Ｎを配置し、撮影面２０に乳房Ｎを当接させる。
【００６２】
この状態で、圧迫板６０を撮影面２０に向けて移動させる。そして、図１１に示すように、圧迫板６０の手前側板部７０を乳房Ｎの付根側に当接させて、乳房Ｎの付根側を撮影面２０へ押しつけ、当該部分の位置決めを行う。そして、開放位置Ｐ１に配置されている奥側板部７２を、撮影位置Ｐ２へ向かって回転させつつ、乳房Ｎのポジショニングを行う。奥側板部７２は、図１２に示すように撮影位置Ｐ２に配置されると、維持部材７３により、奥側板部７２が撮影位置Ｐ２に維持される。このようにして、乳房Ｎの付根側から順次ポジショニングが行われ、撮影対向部６２で乳房Ｎの全体が圧迫される。
【００６３】
本実施形態では、乳房Ｎをポジショニングする際に、撮影対向面６２Ａの乳房先端側を撮影面２０から離しておき、乳房付根側のポジショニングを行う。そして、奥側板部７２を撮影位置Ｐ２へ向かって回転させて、乳房Ｎを先端へ向けて順次圧迫する。したがって、検査技師の手で乳房Ｎを保持しても、奥側面７２Ａとの間にスペースを確保でき、乳房Ｎのポジショニングを行いやすくすることができる。
【００６４】
また、本発明では、撮影対向面６２Ａを変形させて（奥側面７２Ａを開放して）、乳房Ｎと奥側面７２Ａとの間にスペースを確保するので、圧迫板６０自体を傾ける制御が不要となり、簡易な構成とすることができる。
【００６５】
なお、本実施形態では、撮影対向部６２を二分割にしたが、三分割以上に分割し、各々の板面が撮影面２０から離れるように開放可能な構成としてもよい。
【符号の説明】
【００６６】
１０   Ｘ線撮像装置
２０   撮影面
５０   圧迫板
５０Ｋ 屈曲可能折部
５２Ａ シート部
５２   撮影対向部
５２Ａ 撮影対向面
５３Ａ シート部
５３Ｂ 蛇腹部
５５   金属板
５７   電磁石
５９   係合片
６０   圧迫板
６２   撮影対向部
６２Ａ 撮影対向面
７０   手前側板部
７２   奥側板部
７３   維持部材
【図１】
2011206436.tif 000003
【図２】
2011206436.tif 000004
【図３】
2011206436.tif 000005
【図４】
2011206436.tif 000006
【図５】
2011206436.tif 000007
【図６】
2011206436.tif 000008
【図７】
2011206436.tif 000009
【図８】
2011206436.tif 000010
【図９】
2011206436.tif 000011
【図１０】
2011206436.tif 000012
【図１１】
2011206436.tif 000013
【図１２】
2011206436.tif 000014